Podtech/llm-jp-corpus-v4-ja_patent huggingface dataset:
(57)【要約】【課題】  ミストの多い工場、例えば金属の切削工場などでは金属を削るとき使用されるオイルによりオイルミストが発生し、照明器具の白色光が、オイルミストによりハレーションを起こし、工場内が視認できず危険であった。【解決手段】  高天井用照明光源を白色のＬＥＤからピーク波長５７０ｎｍから６３０ｎｍのＬＥＤに変更することにより、工場内にミストが充満しても視認性の良い光で工場内が見渡せ、危険性がなくなる。【選択図】図１
2020198284.tif 000002
【特許請求の範囲】
【請求項１】
光源にピーク波長が５７０ｎｍから６３０ｎｍのＬＥＤを使用し、ミストの蔓延している工場などの視認性を改善したＬＥＤ高天井用照明器具。
【発明の詳細な説明】
【技術分野】
【０００１】  本発明は、工場内に設置するＬＥＤ高天井用照明器具に関するものである。
【背景技術】
【０００２】  従来、工場内に設置する照明器具は白色光の水銀灯高天井用器具が取り付けられていたが、省エネの検知から白色光のＬＥＤを光源とする高天井用照明器具が採用されてきた。
【発明の開示】
【発明が解決しようとする課題】
【０００３】  しかし、ミストの多い工場、例えば金属の切削工場などでは金属を削るとき使用されるオイルによりオイルミストが発生し、照明器具の白色光が、オイルミストによりハレーションを起こし、工場内が視認できず危険であった。
【課題を解決するための手段】
【０００４】  前記問題点を解決するため、本発明はミストの多い工場向けとして高天井用照明器具の光源を白色ＬＥＤからピーク波長６１８ｎｍのＬＥＤに変更した。
【発明の効果】
【０００５】  本発明によれば、高天井用照明光源を白色のＬＥＤからピーク波長５７０ｎｍから６３０ｎｍのＬＥＤに変更することにより、工場内にミストが充満しても視認性の良い光により工場内が見渡せ、危険性がなくなる。また、波長範囲から虫などの工場内への侵入が少なくなる。
【発明を実施するための最良の形態】
【０００６】  以下、図面に基づき本発明の実施の形態を説明する。【０００７】  図１は、本発明に使用したＬＥＤの光スペクトル図である。【０００８】  光の透過性が良いのは短い波長であるが、短いと光が拡散し、ミストの多いところではハレーションを起こし、周囲を視認できない。光の波長が長いと透過性は良くないが、光の拡散が少なく、ミストの雰囲気でも周囲が視認できる。以上を鑑みて実験を行い、光源に使用するＬＥＤがピーク波長５７０ｎｍから６３０ｎｍの範囲であればミスト雰囲気での視認性が良好であることが確認できた。【０００９】  ピーク波長５７０ｎｍから６３０ｎｍのＬＥＤ高天井用照明器具は、ミストの多い工場ではミストを通して光が透過するので周囲を視認でき、安全性を高めることができる。
ミストの多い工場だけではなく、トンネル、港湾照明に採用できるのは当然である。
【図面の簡単な説明】
【００１０】
【図１】本発明に使用するピーク波長６１８ｎｍのＬＥＤ高天井用照明器具の光のスペクトル図。
【符号の説明】
【００１０】  １・・・スペクトルのピーク値（６１８ｎｍ）
【図１】
2020198284.tif 000003
(57)【要約】【課題】シンプルな構造でサイズの調整可能な靴を提供する。【解決手段】甲革と靴底からなるサイズ調整可能な靴であって、甲革には前後方向に伸縮自在な前後伸縮部と、左右方向に伸縮自在な左右伸縮部を備え、靴底は前部篏合凹部と後部篏合凸部を嵌め合わせる事で構成し、前記前部篏合凹部に備える凹み部と前記後部篏合凸部に備える凸部が嵌め合うことで、靴底の前後方向のサイズ調整を行う事を特徴とするサイズ調整可能な靴。【選択図】図３
2020199000.tif 000002
【特許請求の範囲】
【請求項１】
甲革と靴底からなるサイズ調整可能な靴であって、甲革には前後方向に伸縮自在な前後伸縮部と、左右方向に伸縮自在な左右伸縮部を備え、靴底は履くと伸びるように、伸縮自在な部材を含んでいることを特徴とするサイズ調整靴。
【請求項２】
請求項１に記載のサイズ調整可能な靴であって、靴底は前部篏合凹部と後部篏合凸部を嵌め合わせる事で構成し、前記前部篏合凹部に備える凹み部と前記後部篏合凸部に備える凸部が嵌め合うことで、靴底の前後方向のサイズ調整を行う事を特徴とするサイズ調整可能な靴。
【発明の詳細な説明】
【技術分野】
【０００１】
本発明は、使用者の足のサイズにあわせて伸縮可能な靴に関する。
【背景技術】
【０００２】
これまで、特に成長がはやい子供用の靴は、すぐにサイズが合わなくなることで、靴を履くことで痛みが生じたり、すぐに買い替えなければならないといった事象が発生していた。一方、サイズ調整機構を備えた靴として特許第4001579号には、靴の長さと幅をそれぞれ別々に調節することができる構成が開示されている。また、靴を履いたままで、長さ調節ボルト又は幅調節ボルトを回して、靴の長さ及び幅の調節を行うことができる構成が開示されている。
【先行技術文献】
【特許文献】
【０００３】
特許第4001579号
【発明の概要】
【発明が解決しようとする課題】
【０００４】
しかしながら、上記先行技術では長さ調整ボルトや底面のくさび板によりサイズの調整を行うために、構造が複雑となることでコストが高くなるうえに、内部の構造が複雑なことで子供用としては重量がかさむとともに底面の調整ボルトにより履き心地が悪い構造となっていた。本発明では、子供用の靴であって、シンプルな構造でサイズの調整可能な靴を提供する。
【課題を解決するための手段】
【０００５】
本発明は、甲革と靴底からなるサイズ調整可能な靴であって、甲革には前後方向に伸縮自在な前後伸縮部と、左右方向に伸縮自在な左右伸縮部を備え、靴底は履くと伸びるように、伸縮自在な部材を含んでいることを特徴とする。
【０００６】
本発明は、さらに、靴底は前部篏合凹部と後部篏合凸部を嵌め合わせる事で構成し、前記前部篏合凹部に備える凹み部と前記後部篏合凸部に備える凸部が嵌め合うことで、靴底の前後方向のサイズ調整を行う事を特徴とするサイズ調整可能な靴を構成している。
【０００７】
以上のような構成により、長手方向に前部と後部を嵌め合いにより連接し、外力をかける事で長さを調整できるとともに、シンプルで重量がかさまない構成を実現している。
【０００８】
また、横方向には、足のサイズが大きくなったときには足に合わせて伸縮できる素材を備えていることで足を圧迫することがなく痛みを感じることがない。
【発明の効果】
【０００９】
本発明によると、子供の足が成長しサイズが合わなくなってもシンプルで重量がかさまない構造により足のサイズにあわせる事ができ、圧迫による痛みを回避することができる。
【図面の簡単な説明】
【００１０】
【図１】本発明の一実施形態に係る靴を示す図であって、図1（Ａ）は正面図を示し、図１（Ｂ）は底面図を示す。
【図２】図１に開示した靴の靴底のスライダー構造の上断面図を示す。
【図３】図1に開示した靴の靴底のスライダー構造の横断面図を示す。
【発明を実施するための形態】
【００１１】
本発明の伸縮機能を備えた子供用靴の実施形態を、図面を参照しながら以下に説明する。なお、説明において、共通する部分は同じ符号を付し、重複する説明は適宜省略する。
【００１２】
[靴本体]
図１に示すように、本発明に係る靴は甲革１１と靴底１４とからなる。甲革１１において、前後方向へ伸縮する前後伸縮部１２と左右方向に伸縮する左右伸縮部１３を備えている。また、靴底１４において、左右方向へ伸縮する靴底伸縮部１５を備えている。
【００１３】
［サイズ調整機構］
図２および図３に示すように、靴底１４は前部篏合凹部１６に後部篏合凸部１７が篏合した状態で形成されている。
前部篏合凹部１６と後部篏合凸部１７はそれぞれ弾性を備えた材料により形成されており外力によって前後に変位可能であるものの、各々の寸法において嵌合状態に連接されている。
また、前部篏合凹部１６には凹み部１６Ａを内部側面に例示として左右に３か所ずつ備えている。同様に後部篏合凸部１７には凸部１７Ａを側面に例示として左右に３か所ずつ備えている。
凹み部１６Ａと凸部１７Ａは前部篏合凹部１６と後部篏合凸部１７が歩行中にずれないように固定するストッパーの役割をしている。
【００１４】
図３において、(Ａ)は凹み部１６Ａと凸部１７Ａが３つずつ嵌っている最も前後方向に靴の長さが短い状態を示し、(Ｂ)は凹み部１６Ａと凸部１７Ａが２つずつ嵌っている状態を示し、(Ｃ)は凹み部１６Ａと凸部１７Ａが２つずつ嵌っている状態であり、最も前後方向に靴の長さが長い状態を示している。
図３（Ｂ）、（Ｃ）において凹み部１６Ａにはまっていない凸部１７Ａについては、前部篏合凹部の壁面により押しつぶされた状態となっている。
上記の構成により、前部篏合凹部１６と後部篏合凸部１７を相対的に前後に進退させるのみで凹み部１６Ａと凸部１７Ａの嵌る位置に応じて長さの調整を行うことが可能となっている。また前後の長さの変化に対しては、甲革１１においては前後伸縮部１２によって長さを調整することができる構造となっている。さらに左右方向のサイズ調整については靴底１４の靴底伸縮部１５と、甲革１１の左右伸縮部１３により足のサイズにより自由に大きさを調整することができる構造となっている。なお、それぞれの伸縮部はポリウレタン等の材料を蛇腹構成にすることで伸縮自在な構造とすることができる。
上記の靴底の構成は、一般的にはヘッドフォンのスライダー等で利用されている、二つの部材を嵌め合い構造で連接することで、伸縮自在とする構造の一実施形態であり、本発明を限定するものではない。その他の履くと伸びる構成として、伸縮自在な部材と伸縮しない部材により構成した靴底とすることもできる。
【００１５】
上記の構成により、本件発明ではシンプルな構造でありながら、サイズの調整可能な靴を実現している。
【符号の説明】
【００１６】
１１  甲革
１２  前後伸縮部
１３  左右伸縮部
１４  靴底
１５  靴底伸縮部
１６  前部篏合凹部
１６Ａ  凹み部
１７  後部篏合凸部
１７Ａ  凸部
【図１】
2020199000.tif 000003
【図２】
2020199000.tif 000004
【図３】
2020199000.tif 000005
(57)【要約】【課題】  本発明は、紙箱の蓋の差し込み片に、立つ持ち手をつけた立つ持ち手付紙箱を提供する。【解決手段】  紙箱の蓋の差し込み片に、４５度の角度で斜めに折り目を入れ、折り目に沿って持ち手の型に切り込みし、その持ち手の型は、紙箱の商品イメージによって異なる型とする事を特徴とする立つ持ち手付紙箱。【選択図】図１
2020125151.tif 000002
【特許請求の範囲】
【請求項１】
紙箱の蓋の差し込み片に４５度の角度で斜めに折り目を入れ、折り目に沿って持ち手の型に切り込みし、その持ち手の型は、紙箱の商品イメージによって異なる型とする事を特徴とする立つ持ち手付紙箱。
【発明の詳細な説明】
【技術分野】
【０００１】本発明は、紙箱の蓋の差し込み片を、開閉する持ち手の構造に関するものである。
【背景技術】
【０００２】従来、紙箱の蓋を開封する際、指掛け孔付の差し込み片を有した紙箱があった（特許文献１参照）。
また、紙箱の蓋を閉める際、指掛け孔が差し込まれる横方向の切り込みが刻設された紙箱があった（特許文献２参照）。
【先行技術文献】
【特許文献】
【０００３】
【特許文献１】特開２００６−２１３３６４
【特許文献２】特開２００８−２９６９７０
【発明の概要】
【発明が解決しようとする課題】
【０００４】それには次のような問題点があった。
（イ）紙箱の蓋を開封する際、指掛け孔を指で押し上げるだけで簡単に開ける事が出来るが、その後、蓋を閉め、箱を保管する際、見た目が良くないという難点がありました。
（ロ）紙箱の蓋を開け閉めする度に、切り込みに指掛け孔を出し入れする為、指掛け孔が曲がったり、摩耗したりで、蓋の開け閉めが大変面倒でした。
本発明はこれらの問題点を解決するためになされたものである。
【課題を解決するための手段】
【０００５】紙箱の蓋の差し込み片に、４５度の角度で斜めに折り目を入れる。折り目に沿って持ち手の型に切り込みをする。持ち手の型は、紙箱の商品イメージによって異なる型とする。
以上の蓋の構造を特徴とした立つ持ち手付紙箱である。
【発明の効果】
【０００６】紙箱の蓋を開封し、差し込み片の折り目を折り、立てた持ち手を指でつまんで蓋の開け閉めをする事により、スムーズに開閉できる。紙箱の保管をする際、立つ持ち手の型が、箱のイメージを強調し、一新します。
【図面の簡単な説明】
【０００７】
【図１】  本発明の差し込み片の折り目を折り、立てた状態の後方斜視図。
【図２】  本発明の一般的紙箱における展開図。
【図３】  本発明の紙箱の蓋を開封した差し込み片の後方斜視図。
【図４】  本発明の紙箱の蓋を閉めた状態の後方斜視図。
【図５】  本発明の紙箱の蓋を閉めた状態の前方斜視図。
【発明を実施するための形態】
【０００８】以下、本発明の実施の形態について説明する。
（イ）紙箱（６）の蓋（１）の差し込み片（２）に、４５度の角度で斜めに折り目（３）を入れる。
（ロ）折り目（３）に沿って、持ち手（４）の型に切り込み（５）をする。
（ハ）持ち手（４）の型は、紙箱の商品イメージによって異なる型とする。
（ニ）持ち手（４）の型は、生物（動物や植物など生きている物全て）、風景、乗り物、建築物、キャラクター、ロゴタイプ、遺跡、宇宙、空想のデザインなど、全ての形や型とする。
本発明は、以上のような構成である。
本発明を使用するには、紙箱（６）の蓋（１）を開封し、図１に示すように、差し込み片（２）に斜めに入れた折り目（３）を外側上方向に折り、立てる事により持ち手（４）が垂直に立ちます。そして図４に示すように、垂直に立った持ち手（４）を指でつまんで、紙箱本体（６）に差し込み片（２）を差し込み、蓋（１）を閉めます。このように持ち手（４）を指でつまんで開け閉めするだけで、非常に簡単に蓋（１）の開閉がスムーズに出来、その上、紙箱（６）を保管して置く場面では、図５に示すように立つ持ち手（４）の型が、箱それぞれの商品イメージを強調し、箱自体をインテリアとして楽しむ事が出来ます。
【符号の説明】
【０００９】    １  蓋
２  差し込み片
３  折り目
４  持ち手
５  切り込み
６  紙箱
【図１】
2020125151.tif 000003
【図２】
2020125151.tif 000004
【図３】
2020125151.tif 000005
【図４】
2020125151.tif 000006
【図５】
2020125151.tif 000007
(57)【要約】      （修正有）【課題】段ボールなどを水気に強くするために紙の表面にポリなどのフィルムを直接貼り付けていました。そのためコストも高くなり、使用後も紙とポリの分離が難しいものでした。【解決手段】紙製の箱２をポリ袋１に閉じ込め、箱の溝部分のポリを切断する際、切り口が開かないようにすることで水気に強い箱を作る事が出来た。【選択図】図１
2020125150.tif 000002
【特許請求の範囲】
段ボールやコートボールなどを加工して作るいろいろな形の箱（２は数ある形のひとつに過ぎません）をポリ袋１の中に入れ、端３を接着したもの４を作り、箱の溝部分のポリに切れ目５を入れる際に刃物を使用せずポリを溶かして切断し、切り口が開かずふさがれるように加工します。そのようにした物を、組み立てた箱６は非常に水気に強いものです。
【発明の詳細な説明】
【発明の詳細な説明】
この発明は、紙製の箱をポリ袋に閉じ込め、箱の溝部分のポリを切断する際、切り口が開かないようにすることで水気に強い箱を作る事が出来た。
【図面の簡単な説明】
【図１】防水箱の加工内容図です
【符号の説明】１    ポリ袋
２    紙製箱の一例
３    ポリ袋の接着位置
４    紙製箱をポリ袋で閉じ込めた物
５    ポリ袋の切れ目位置
６    防水箱の完成図
【図１】
2020125150.tif 000003
(57)【要約】【課題】従来のマスクは長時間していると耳が痛くなった。そのため柔らかい紐、幅広紐があるがいずれも耳の痛みを解消できない。また耳の防寒は不可能であった。【解決手段】本発明は、マスクの紐の耳に掛かる部分が袋状に広がる、または該当部分が袋状に成形されたマスク。耳を覆うようにして使用するマスクである。耳の付け根に掛けるときは太く、痛みの軽減に役立つ。耳を覆うように掛けられるため、痛みがさらに軽減される。また冬期は耳の防寒にも役立つ。【選択図】図１
2020125571.tif 000002
【特許請求の範囲】
【請求項１】
収縮性のあるマスクの紐の耳に掛かる部分を広がる構造とし、耳上部に掛かるようにする。耳の付け根の痛みの解消、冬期の防寒に役立つマスク。
【発明の詳細な説明】
【技術分野】
【０００１】本発明は耳に掛かる紐の一部が広がり、痛みの解消、防寒効果があるマスクである。
【背景技術】
【０００２】従来は、このようにものはなかった。
【発明の概要】
【発明が解決しようとする課題】
【０００３】  従来のマスクは長時間していると耳が痛くなった。そのため柔らかい紐、幅広紐があるがいずれも耳の痛みを解消できない。また耳の防寒は不可能であった。
【課題を解決するための手段】
【０００４】本発明は、収縮性のあるマスクの紐の耳に掛かる部分を、広がる構造とする。
【発明の効果】
【０００５】耳の付け根に掛けるときは太く、痛みの軽減に役立つ。紐を広げると耳を覆うように掛けられるため、痛みがさらに軽減される。また冬期は耳の防寒にも役立つ。
【図面の簡単な説明】
【０００６】
【図１】本発明マスクの側面図である。
【図２】本発明マスクの紐部分図である。
【発明を実施するための形態】
【０００７】以下、添付図面に従って本発明の実施例を説明する。
【０００８】収縮性のある素材のマスクの紐の耳に掛かる部分を幅広にし、１本の紐であるが広げれば耳に掛かるようにする。
【符号の説明】［図１］
１  本体
２  紐を広げて耳に掛けた状態
［図２］
１  マスクの紐
２  耳に掛かる部分の紐を広げ状態
【図１】
2020125571.tif 000003
【図２】
2020125571.tif 000004
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
マスクの紐の耳にかかる部分が袋状に広がる、または該当部分が袋状に成形されたマスク。耳を覆うようにして使用するマスクである。
(57)【要約】      （修正有）【課題】男性性器の陰茎下部と陰嚢上部の接触を阻止し、発汗に伴う水分の速やかな蒸発を促進し、湿疹やカビの発生を低減させる男性下着を提供する。【解決手段】男性下着の前方に穴をあけ、前垂れ４を付加することで、陰茎と陰嚢を別室に収納する。【選択図】図３
2020125570.tif 000002
【特許請求の範囲】
【請求項１】
男性下着において、陰茎下部と陰嚢上部を区分収納することにより、発汗に伴う水分の蒸発を促進する男性下着。
【発明の詳細な説明】
【技術分野】
【０００１】本発明は男性性器の陰茎下部と陰嚢上部の接触を阻止し、発汗に伴う水分の速やかな蒸発を促進し、湿疹やカビの発生を低減させようと企図するものである。
【背景技術】
【０００２】従来男性下着は男性性器を一体として収納しており、特に陰茎下部と陰嚢上部は不必要な密着により発汗に伴う水分の速やかな蒸発を阻害していた。
【発明の概要】
【０００３】この発明は男性下着において、従来同一空間に収納されていた陰茎と陰嚢を区分収納するものである、
第一図は従来の男性下着である、第二図は本申請の男性下着であり、下着前方に穴をあけ、ここから陰茎を突き出すことにより、陰茎と陰嚢の接触を阻止し発汗後の水分蒸発を速やかに行おうとするものである、なお下着機能を維持するため、第三図の通り前垂れを付加する。
これによって男性の陰部の湿度を低下させ湿疹やカビの発生を低下させようと企図するものである。
【課題を解決するための手段】
【０００４】体型に合わせた陰茎穴の位置決定
【発明の効果】
【０００５】この発明により男性陰部の湿度を低下させ、健康増進に貢献できる。
【発明を実施するための最良の形態】
【０００６】広く社会に告知する。
【図面の簡単な説明】
【０００７】
【図１】第一図  平面図  従来の男性用下着である、▲１▼はベルト、▲２▼は開口部である。
【図２】第二図  平面図  この発明による男性用下着である、説明のため前垂れを省略している、▲１▼はベルト、▲３▼は陰茎を突き出す穴である。
【図３】第三図  平面図  この発明による男性用下着である、陰嚢と陰茎を区分収納した、また下着前面に前垂れを付加し、下着機能を維持している。
【符号の説明】
【０００８】▲１▼    ベルト
▲２▼    開口部
▲３▼    陰茎穴
▲４▼    前垂れ
【図１】
2020125570.tif 000003
【図２】
2020125570.tif 000004
【図３】
2020125570.tif 000005
(57)【要約】【課題】  より効率的な口腔ケア方法を提供する。【解決手段】  口腔ケア方法は、食後２０分以内に、ｐＨ７．５以上の洗口液で１５秒以上うがいするステップと、前記洗口液によるうがいの後で、歯磨きを行うステップとを有する。好適には、重曹を主成分とする洗口液である。容積が１０ｍｌ以上２０ｍｌ以下の容器をさらに有し、洗口液は、容器内に密閉されている。洗口液でうがいすると、食事直後であっても口腔内のｐＨが７．５を上回り、酸蝕症の防止、早期の再石灰化が期待できる。【選択図】図１
2020125264.tif 000002
【特許請求の範囲】
【請求項１】
ｐＨ７．５以上の液体であり、
食後３０分以内、かつ、歯磨き前に口腔内を洗うための洗口液。
【請求項２】
重曹を主成分とする請求項１に記載の洗口液。
【請求項３】
容積が１０ｍｌ以上２０ｍｌ以下の容器
をさらに有し、
前記容器内に密閉されてなる請求項２に記載の洗口液。
【請求項４】
食後３０分以内に、ｐＨ７．５以上の洗口液でうがいするステップと、
前記洗口液によるうがいの後で、歯磨きを行うステップと
を有する口腔ケア方法。
【請求項５】
前記うがいするステップ、及び、前記歯磨きを行うステップは、食後２０分以内であり、
前記うがいするステップは、１５秒以上、２５秒以内である
請求項４に記載の口腔ケア方法。
【発明の詳細な説明】
【技術分野】
【０００１】
本発明は、洗口液、及び、口腔ケア方法に関する。
【背景技術】
【０００２】
例えば、特許文献１には、炭酸水素アルカリ金属塩によって製剤をアルカリ性にした場合でもなお、白濁やオリの発生が十分に防止されている液体口腔用組成物が開示されている。
また、特許文献２には、ｌ−メントールを含有し、研磨剤無配合の洗口液に、プロピレングリコール、ポリエチレングリコール及びグリセリンから選ばれる１種又は２種以上の多価アルコールを洗口液全体の１〜２０重量％配合すると共に、キサンタンガム、カラギーナン、カルボキシメチルセルロースナトリウム及びアルギン酸ナトリウムから選ばれる１種又は２種以上の水溶性高分子物質を洗口液全体の０．１〜８重量％配合してなることを特徴とする洗口液が開示されている。
【先行技術文献】
【特許文献】
【０００３】
【特許文献１】特開平１１−１００３１３号
【特許文献２】特開平８−３３３２２７号
【発明の概要】
【発明が解決しようとする課題】
【０００４】
より効率的な口腔ケア方法を提供することを目的とする。
【課題を解決するための手段】
【０００５】
本発明に係る洗口液は、ｐＨ７．５以上の液体であり、食後３０分以内、かつ、歯磨き前に口腔内を洗うための洗口液である。
【０００６】
好適には、重曹を主成分とする洗口液である。
好適には、容積が１０ｍｌ以上２０ｍｌ以下の容器をさらに有し、前記容器内に密閉されている洗口液である。
【０００７】
また、本発明に係る口腔ケア方法は、食後３０分以内に、ｐＨ７．５以上の洗口液でうがいするステップと、前記洗口液によるうがいの後で、歯磨きを行うステップとを有する。
【０００８】
好適には、前記うがいするステップ、及び、前記歯磨きを行うステップは、食後２０分以内であり、前記うがいするステップは、１５秒以上、２５秒以内である。
【発明の効果】
【０００９】
より効率的な口腔ケア方法を提供することができる。
【図面の簡単な説明】
【００１０】
【図１】食後の口腔内のｐＨの変化を示すグラフである。
【発明を実施するための形態】
【００１１】
まず、本発明がなされた背景を説明する。
食事の直後は、口腔内が酸性となり、歯の表面がもろくなる。特に、フルーツ、ドレッシングのかかったサラダ、酢を使った料理、ワインなど酸性の強い飲み物を摂取した後は、口腔内のｐＨが脱灰の限界値５．５以下となる場合もある。このような状態で歯磨きをすると、もろくなった歯のエナメル質をブラッシングで傷付けてしまう。
【００１２】
そこで、本願発明の発明者は、食後３０分以内に歯磨きを行う場合には、ｐＨ７．５以上の洗口液でうがいして、口腔内を中和し、その後に、ブラッシングすることにより、効率的に口腔内ケアを行うことができることを発見した。より好ましくは、食後２０分以内に、ｐＨ７．５以上の洗口液でうがいし、食後２０分以内に、歯磨きを行う。
また、職場での昼食休憩等のように、食事と口腔ケアに使える時間が限られている場合に好適である。外出先での食事などでは、容積が１０ｍｌ以上２０ｍｌ以下の容器に、ｐＨ７．５以上の洗口液を密封した状態で持参し、食後すぐに、容器を破って容器内の洗口液を口に含み、うがいすることが効率的である。
以下、本発明の実施形態を説明する。
【００１３】
（洗口液）
洗口液は、ｐＨ７．５以上の液体であり、食後３０分以内、かつ、歯磨き前に口腔内を洗うためのものである。より具体的には、洗口液は、炭酸水素ナトリウムを主成分として、グリセリン、キシリトール、及びクエン酸ナトリウムが配合された水溶液であり、食後２０分以内かつ歯磨き前に、うがいするための液体である。本例の洗口液は、１重量％の重曹が主成分として配合され、濃グリセリン、キシリトール、ポリオキシエチレン硬化ヒマシ油、クエン酸ナトリウム、クエン酸、パラペン、塩化セチルピリジニウム、及びメントールが配合された水溶液である。
また、好ましくは、洗口液は、容積が１０ｍｌ以上２０ｍｌ以下の容器内に密閉されている。
【００１４】
（容器）
容器は、容積が１０ｍｌ以上２０ｍｌ以下であり、液体を密封できるものである。より具体的には、容器は、容積が１０ｍｌ以上１４ｍｌ以下のポーションカップである。衛生上及び携行性の観点から、容器は、ディスポーザブルタイプの水密性容器であることが好ましく、容器の一部を破って、内容物である洗口液を取り出せるものが良い。
【００１５】
（作用・効果）
図１は、食後の口腔内のｐＨの変化を示すグラフである。
図１に例示するように、食後に洗口液を使用しなかった場合には、食事直後の口腔内のｐＨが６．５前後となり、その後、ゆるやかに中和され、食後２０分で、通常のｐＨ域に戻る。ただし、上記は平均値であり、被験者によっては、食後３０分経過しても、通常のｐＨ域に戻らないケースもある。
一方、食事直後に、本実施形態の洗口液でうがいした場合には、食事直後の口腔内のｐＨが７．５を上回っており、酸蝕症の防止、早期の再石灰化が期待できる。ｐＨ７．５を上回った口腔内は、唾液の緩衝作用により、２０分後には、通常のｐＨ域に戻る。
【００１６】
（口腔ケア）
食後２０分以内に、本実施形態の洗口液を口に含み、１５秒以上うがいを行う。うがいは、２５秒以内の簡易なものであってもよい。
洗口液によるうがいの後に、歯ブラシで歯をブラッシングする。
上記口腔ケアにより、限られた時間の中であっても、早期の再石灰化を促すと共に、ブラッシングによる歯のエナメル質に対するダメージを抑制できる。
【図１】
2020125264.tif 000003
(57)【要約】【課題】  本発明はａ寸法の最小化する機構を開発することを課題とした。平行クランク機構を用いたパンタグラフ式リフト等においては、初動時において動力ベクトル（ｆ）を必要とする垂直方向動力（ｖ）に変換することは不可能であった。また、大きな動力エネルギーも必要とされた。解決するためには垂直変換（＝最小化寸法ａの最小化）できる機構が必要である。【解決手段】  初期の動力伝達が困難であるため原節リンクｂを可動式に変え滑り接触化した。その可動動力を天板に設けた滑り当て金具が受け初動時の垂直方向動力に変える構造を特徴としている。【選択図】図１  初動前図          図２  初動時図
2020186811.tif 000002
【特許請求の範囲】
【請求項１】
平行クランク機構を用いたパンタグラフ式リフト等において、シリンダー等の動力ベクトルと垂直方向の動力を得ようとする時に機能する特徴を持つ機構である。
【請求項２】
原節リンクｂを可動式に変え滑り接触化した。その可動動力を昇降天板に設けた滑り当て金具が受け初期の垂直方向動力に変える構造を特徴としている。
【請求項３】
動力はシリンダーに限らずあらゆる動力に使用できる機構を特徴とする。
【請求項４】
動力ベクトルと垂直方向に限らず動力を得ようとする時に機能する特徴も持つ機構である。
【発明の詳細な説明】
【技術分野】
【０００１】  本発明は、平行クランク機構を用いたパンタグラフ式リフト等において、シリンダー等の動力ベクトルｆから垂直方向動力ｖを得ようとする時に機能するベクトル変換機構である。
【技術背景】
【０００２】  従来は、シリンダー等の動力ベクトルと垂直方向の動力を得たいとしても不可能であった。［図３］
その解決策として図の角度θを設けなくてはならず、結果的に垂直ではなく９０度‐θの角度となっていた。そのため最小寸法ａは大きくならざるを得なかった。［図４］
【発明の概要】
【発明が解決しようとする課題】
【０００３】  本発明は最小寸法ａを最小化する機構を開発することを課題とした。そのために動力ベクトルｆと必要とする垂直方向動力ｖの角度（９０度）を守り最小寸法ａの最小化を目指した。
【課題を解決するための手段】
【０００４】  本発明では、初動時の動力伝達が困難であるため原節リンクｂを可動式に変え滑り接触化した。その可動動力を昇降天板に設けた滑り当て金具が受け初期の垂直方向動力に変える構造を特徴とした。
【発明の効果】
【０００５】  本発明により最小化寸法ａを最小化することでコンパクトな構造を可能とした。また初動動力を少なくしエネルギー効率も高められた。今後、多く場面で利用されることが見込まれる。
【発明を実施するための最良の形態】
【０００６】
【図面の簡単な説明】
【０００７】
【図１】初動前図  本発明機構を説明した動作前の図面。
【図２】初動時図  本発明機構を説明した初動作の図面。
【図３】垂直変換不可能図  従来の機構では不可能である図面。
【図４】従来図  従来の機構で可能な構造の図面。
【図１】
2020186811.tif 000003
【図２】
2020186811.tif 000004
【図３】
2020186811.tif 000005
【図４】
2020186811.tif 000006
(57)【要約】【課題】橋桁を連絡する伸縮継手の一部には、走行性、すべり現象、騒音、振動  等への批判、雨水処理による沓座環境の悪化等の課題に対応する構造とする。【解決の手段】  車両が伸縮継手上を通過する際に発生する騒音、振動等の批判があり、これらの批判に対して、従来の鋼製伸縮継手のフェースプレートに相当する部分を弾性復元力を有するゴム製品を使用し、走路面下には、伸縮可能な輪荷重支持鋼板を設け、走路面の面一化を図り走行性の向上、騒音・振動等に対応して課題を解決する。【選択図】図１
2020186629.tif 000002
【特許請求の範囲】
【請求項１】
輪荷重支持鋼板３上に、ゴム弾性を利用した伸縮ゴム４を補強材を組み込んで補強することなく、一部を切欠き１０を行い、雨天時の流水路、表面の粗度を確保してすべり現象の防止、伸縮の助勢等の加工程度として、伸縮ゴム４と固定用アングル５を一体化し、伸縮ゴム４にかかる外気温度０℃以下の引張力を、締付用ボルト６を用いて事前に導入し固定することを特徴とする橋梁用伸縮継手。
【請求項２】
前記で導入された伸縮ゴム４は、外気温度の上昇と共に圧縮され、伸縮ゴム４には、浮き上がり現象が生じ、この現象を防止するため、固定した締付用ボルト６のナットを取り除き、ボルトのみを残置しボルト両端のネジ部には、伸縮ゴム４の伸縮に対応できるよう伸縮用キャップ９で覆い、後打コンクリート１１に埋設して、伸縮ゴム４の浮き上がり現象を防止することを特徴とする橋梁用伸縮継手
【発明の詳細な説明】
【技術分野】
【０００１】  本発明は、橋梁の伸縮を吸収するため、ゴムの弾性を利用して、騒音の防止、車両の走行性、橋面の排水性等の改善を行う。
【背景技術】
【０００２】  橋梁においては、常時外気温度によって伸縮を繰り返し、支承を中心にして回転運動の動きを行っている。これらの動きは、橋桁間に設けられた遊間１に、伸縮継手が設置され、鋼製伸縮継手にあっては、伸縮・回転によって生じる走路面の面一化が図れず、通行車両による破性音からの騒音・振動が発生し社会的な批判となり、安全・走行・耐久・施工性を考慮した各種の橋梁用伸縮継手が開発されている。
【先行技術文献】
【技術文献】
【０００３】
【特殊文献】
特開２００２−１２９５０８号公報
【発明の概要】
【発明が解決しようとする課題】
【０００４】  車両が、鋼製伸縮継手を走行する際走路面の不連続から、発生する破性音や振動によって、付近住民からの苦情や批判と合わせ、車両運転者に対しては、乗り心地の悪さや不安視した意見の解消等の課題。【０００５】  鋼製伸縮継手の表面は、通常走行時においてもすべり易く、特に雨天時の曲線橋等にあっては、運転操作上の危険性等の課題。【０００６】  鋼製伸縮継手の場合は、雨天時の橋面排水も受ける構造になって、土砂を含む雨水となり落下堆積し、沓座環境の悪化となっている。【０００７】  伸縮継手は、特殊寒冷地以外の地域では、許容伸縮量の算定温度は、−１０℃から算定温度＋５０℃を基準にして求めて、現状では図２に示す串部２で対応されているが、一方遊間１には、許容伸縮量を上回る遊間１となって、鋼製伸縮継手が大型化している傾向にある。
本発明は、許容伸縮量にて適応できる遊間１として、伸縮継手の小型化を図ることを課題。
【課題を解決するための手段】
【０００８】  前期課題を基に、本発明に係る橋梁用伸縮継手は、ゴム弾性を有する材質に加え耐摩耗・耐熱・耐老化・加工性等のゴム材料を選び、通行車両の輪荷重を輪荷重支持鋼板３で支持し、輪荷重支持鋼板３と並行する伸縮ゴム４を用い、伸縮ゴム４の厚さの中央部を橋軸方向へ円形に穴明け７として、伸縮ゴム４を固定させるための固定用アングル５に伸縮ゴム４同様の位置に穴明けして、伸縮ゴム４の穴明け７に対し、同径下の締付用ボルト６を挿入し、−１０℃時の橋桁の収縮に相当する収縮量を、事前に伸縮ゴム４に伸び量として、締付用ボルト６のナットで導入し、伸縮ゴム４と固定用アングル５との密着性を確保して、雨水時の土砂を含む雨水の流入を防止する。
【発明の効果】
【０００９】  橋の架設は、季節の変化と共に外気温度・昼夜を問わず行われ、橋桁遊間１も変化する条件の中、伸縮ゴム４は、許容伸縮量に沿った伸縮量で調整され、固定用ボルト８で固定される。走路面となる弾性アスファルト舗装と一体化された構造となり、走行車両の衝撃・振動・運転者への不安等が抑制される。【００１０】  伸縮ゴム４は、補強材を組み込んだ補強も接着剤による固定化はなく、浮き上がり防止を兼ねた締付ボルト６を残置して伸縮を行う構造となっており、車両等による摩耗等の部分的な補修が生じた場合には、残置したボルトを取り外すため、後打コンクリート１１部の斫りは生じるが、伸縮ゴム４のみを橋軸方向へ切り取り、代替同材での取替え補修が可能となる。
【図面の簡単な説明】
【００１１】
【図１】  継手構造断面図
【図２】  輪荷重支持鋼板図
【図３】  締付用ボルト・固定用ボルト側面図
【図４】  締付用ボルト・固定用ボルト詳細図
【図５】  伸縮用キャップ図
【図６】  締付用ボルト・固定用ボルト配置図
【発明を実施するための形態】
【００１２】  図１に示す輪荷重支持鋼板３は、図２に示す許容伸縮量を可能な串型２の形状を基本にして製作する。
【００１３】  伸縮ゴム４は、橋桁の伸縮・回転・永久歪に対し、内部疲労の少ないゴム弾性品を使用し、図３に示す伸縮ゴム４の穴明け７を図６に示す位置に設ける。
【００１４】  固定用アングル５は、伸縮ゴム４の厚さにもよるが不等辺山形鋼を使用し、伸縮ゴム４に接する短辺側には伸縮ゴム４の穴あけ位置と同一個所に穴明けを行なう。一方、長辺山形鋼と輪荷重支持鋼板３と接する面には、固定用ボルト８の穴明けを行い、固定に伴う微調整を行うため、穴開けは固定用アングル５の短辺・長辺に関わらず長円形とする。
【００１５】  伸縮ゴム４と不等辺山形鋼の短辺に穴開けした箇所に締付用ボルト６を取付け一体化して、外気温度による調整量と外気温度―１０℃時の伸び量を勘案して締付用ボルト６のナットによって導入し、固定用ボルト８で固定する。
【００１６】  伸縮ゴム４が固定された後は、締付用ボルト６のナットを取り除き、ボルトのみを残置して、ボルトの両端のネジ部には、伸縮ゴム４の伸縮に対応できるよう図５に示す伸縮用キャップ９で覆い、後打コンクリートに埋設する。残置する締付ボルト６の材質には、防錆を考慮しステンレス鋼を使用し、伸縮ゴム４との伸縮性の向上を図り、外気温度の昇降に対応できる橋梁用伸縮継手とする。
【符号の説明】
【００１７】  １  遊間
２  輪荷重支持鋼板の串部
３  輪荷重支持鋼板
４  伸縮ゴム
５  アングル（不等辺山形鋼）
６  締付用ボルト（浮き上がり防止を兼ねる）
７  伸縮ゴムの穴開け位置
８  伸縮ゴム固定用ボルト
９  締付用ボルト残置後の伸縮用キャップ
１０  伸縮ゴムの一部切欠き
１１  後打コンクリート
１２  舗装部
１３  アンカープレート
【図１】
2020186629.tif 000003
【図２】
2020186629.tif 000004
【図３】
2020186629.tif 000005
【図４】
2020186629.tif 000006
【図５】
2020186629.tif 000007
【図６】
2020186629.tif 000008
(57)【要約】【課題】住宅建設に使用する瓦は軽量にすれば、柱も小さいで良いことになり、大きさも１×２ｍコンパネ状にすれば、このコンパネを大工さんが張り付けばそれで屋根工事は終了となり、工事期間も短縮され建設が下がなります。【解決手段】軽量材料および耐火、耐水を使用することにより、火事に強く、工事期間短縮、その他の理由により安価に建設することが可能になった。【選択図】図1
2020186604.tif 000002
【特許請求の範囲】
【請求項１】
図に示すように表面板３を瓦状２にするためA-A断面及びB-B断面に示すように、そうすると瓦2を並べたようにみえ、裏板４は平面とし両者を重ね、そのすき間、波状の中板５を入れて表面板３と裏板４を固定する。その大きさは１m×２mの大きさのダンボールとする。その表面板３を第5図のように銅板状６に第6図では茅葺状８に、ここで使用するパルプは防水防火及び強化材を使用し、その色彩はカラー印刷で表現します。
【請求項２】
室内おいて、第７図は洋間及び廊下とおいて、深溝７を入れフロアー８状に、第8図は畳状に、縁取り９をし、畳状１０に、両共それと似合うカラー印刷、フロアー８腰板として利用できる。
【発明の詳細な説明】
【技術分野】
【０００１】
本発明は、表面を屋根瓦状とし裏面は平とする。中間のダンボールはそのすき間を波状にして埋めた、１m×2ｍのコンパネの大きさとします。フロアー状にしたものはフロアーとして使用する。木目調及び畳調にすることができる。
【背景技術】
【０００２】
普通、屋根を製造するためには、屋根に一面にコンパネ張り、防水シートを張り、その上に土等で瓦と呼ばれる２０から２５ｃｍを並べることにより製造されている。フロアーについては、床面にコンパネ張りを張りフロアーと呼ばれる木目調の木の板を張り制作されている。
【発明の概要】
【発明が解決しようとする課題】
【０００３】
普通、屋根は土において瓦を並べ製造している。この瓦は重量があり、これ軽くすれ
この支える柱も細くする事ができる。またこの瓦の数量減らせば、工事日数が削減され、
製造コストが抑えられる。
【課題を解決するための手段】
【０００４】
本発明に係る屋根は、第1図がおいて。説明します。第2図はそのパネル１の詳細図である。その大きさは1×2mの表面を瓦状に裏面は平面のダンボールを制作する。その１枚１枚は瓦2を並べた様に見えるようにする。
第3図は第2図のA-A断面図である。第4図はB-B面図である。第3図において、表面板３を瓦２に見える様にする。裏板４は平面にする。表面板３を図に示すように重ねるそのすき間一定の間隔でないため、そのすき間うめるため、波状の中板５を入れて表面板３と裏板４を固定する。B-B断面図の切り込み6は瓦2を１枚、1枚並べたようにするためである。
第5図は瓦２状ではなく筋６を入れて小さな銅板状７を並べたように見せる。第6図では茅葺状８に見せる無数の筋９を入れて茅葺屋根みせる。
その色あいは印刷にするより表現する。原材料については、防水、防炎、強度にあっては強化ダンボールを使用し強度を保つようにする。強度がれば直接垂木に固定する。本材料と本材料の突合せ部分接着材です止める。胸瓦7及測瓦8,下瓦９にあっては3Dプリンターで、飾り付けし完成である。強度でコストが合わない
場合は予めコンパネ張り,本材料をその上張り付けるようにする。
この他部屋内においてもこのダンボールを応用できる。第5図は洋間及び廊下の表面を木目調11。第6図は和室にあては畳調12するように筋を入れ使用することが出来る。又は木目調11は壁板の代用として応用可能である。
室内にこの強化防水ダンボールを使用しているので高圧洗浄機が使用できる。
ここで使用した筋は完成した後プレスする事により付ける。    
【発明の効果】
【０００５】
本案の１×２Mのコンパネ状板をはりつけ、それ以下の面積は本案をその面積に切断し張り付ける終了、また重量も軽く、それを支える柱も細くて良く、したがって工事日数は短く、柱の価格下がるため、建物自身の単価も下がる、耐火、耐水を使用することにより、火事に強い建物ができる。
【図面の簡単な説明】
【０００６】
【図１】本発明の全体図ある。
【図２】パネル1の詳細図である。
【図３】第1図のA-A断面図である。
【図４】第1図のB-B断面図である。
【図５】銅板状６にした図である。
【図６】茅葺状7にした図である。
【図７】室内でフロアー状１１にした図である。
【図８】室内で畳状１２にした図である。
【図１】
2020186604.tif 000003
【図２】
2020186604.tif 000004
【図３】
2020186604.tif 000005
【図４】
2020186604.tif 000006
【図５】
2020186604.tif 000007
【図６】
2020186604.tif 000008
【図７】
2020186604.tif 000009
【図８】
2020186604.tif 000010
(57)【要約】【課題】従来テントやシートは雨風日照から保護するために用いられてきたが、近年強風により設置したテントが飛散して事故になったり風で飛んだシートが道路上に落ちる事例があるが、これら主に風によるテント・シートの事故を防ぐ為には風の抜ける穴や窓等を設ける事で解決出来るが、雨天の場合はこれらの穴や窓から雨水が入る為に、全天候型で風の抜けるテント・シートを新たに開発しなければならない。【解決手段】風の流れる方向に柔軟に対応する空気の吹き出し坑（穴）を備えた本考案品を一定の範囲と間隔で設置する事で、風の力を逃がしながら雨水の侵入を防ぐ事が出来る【選択図】図１
2020186597.tif 000002
【特許請求の範囲】
【請求項１】
風の吹く方向に対し自由度を持たせた吹き出し坑を設けた防水機能付き風圧軽減装置。
【請求項２】
自由にテント及びシートや傘に設置可能な防水機能付き風圧軽減装置。
【請求項３】
既存のテントに後付けが可能な風の吹き出し筒状の機能を備えた防水機能付き風圧軽減装置。
【発明の詳細な説明】
【発明の概要】
【発明が解決しようとする課題】
【０００１】
建物や構造物等を風雨から守るためテントやシートで覆う事で防止していたが、風の強い日には、これらのシートやテントが飛ばされるために、本来は風を逃がす坑（穴）を備えるべきだが坑を備えると、雨の日には坑（穴）から雨水が入る為に設置できず飛散防止の為に均一に砂袋や重しとなるものを設置しなければならなかった。
本発明はシートやテントの中に吹き込む風を逃がし、
重し等の設置数を減らすと共に風によるシートやテントの飛散の軽減と雨水の侵入を防止する為に考案されたものである。
【課題を解決するための手段】
【０００２】
従来のテント・シートに風抜き用の坑（穴）に防水機能付き風圧軽減装置を同一箇所に設け、これらを複数個所に設ける事で風の吹き抜けを促すと共に、同時に雨水の侵入を防止する考案である。
【発明の効果】
【０００３】
構造物や物を保護するテントやシートの風による飛散を防止し、
その為重量物やロープでのテントやシートへの固定や重しの設値数を減らすことが可能で、
ビニール地で出来た吹き出し筒が風向きに沿って向きを変える為に、風による雨水の侵入も防ぐことが出来る。
【図面の簡単な説明】
【０００４】
【図１】テント及びシートに等間隔で空気坑を開け、先端重し部と設置連結近くにくびれを持たせた空気吹き出し装置の上面図と側面図。
【図２】テント及びシートに開けた穴（坑）の部分に本考案装置を設け、下部より入り込んだ風を空気坑から排出させる装置の側面と断面の図
【図３】テント及びシートに開けた穴（坑）の部分に本考案装置を設け、様々な気象条件による本考案の稼働状態の図である。
【図４】強風時においては傘の内側からの風の吹き込みにより、傘の骨が逆に曲がったり折れたりする事を防ぐ為に、傘の登頂部分の傘地を円形に切り抜いた風抜き坑を作り、そこに本考案に基づいた円筒状の物を設置し、風が抜ける状態の図と、傘の内部に風が入り込んでいない状態の図である。
【発明を実施するための形態】
【０００５】
中押さえの先端部に筒ゴムと上パッキンを設置し、その上に吹き出し筒を被せ、押さえパッキンを付けた上押さえで固定する。
この状態でテント及びシートの穴の上部から通し、テント及びシートの裏側から下パッキンを付け、下押さえでしっかりと固定する。
テント及びシートに等間隔に開けた穴に、それぞれ本考案品を取り付ける。
テントや傘の頂点部位に穴を開け、直接に円錐状で同一地で出来た本考案品を設置も可能。
傘に設置された本考案品は傘を畳んだ際には傘のカバーとしても機能させる事ができる。
【実施例】
【０００６】
本考案装置を取り付けたテント、シートを設置すると無風状態時には吹き出し筒重しの作用で空気の吹き出し坑が下を向き、雨が降ってもテント及びシート内に雨水が侵入する事を防ぎ、風がテント及びシート上を吹いた場合でもビニール地の吹き出し筒の為に
風向きに沿って自在に動き、風による雨の侵入を防ぐ事が出来、テント及びシート内に吹き込む風の場合には設置した数の本考案品の吹き出し坑から風が逃げる事で風圧を軽減させる事が出来、筒ゴムを設値する事で柔軟に風を逃がす為と絶えず風による動きで吹き出し筒が傷むのを防止できる防水機能付き風圧軽減装置。
【産業上の利用可能性】
【０００７】
本考案品の外見上同じ物を傘と同等の生地で、雨傘等の中心に設置しても同様の効果で強風により傘が壊れる割合を低下させる事が出来る。
【符号の説明】
【０００８】
１  吹き出し筒重し
２  吹き出し筒
３  押さえパッキン
４  上押さえ
５  筒ゴム
６  中押さえ
７  上用パッキン
８  テント及びシート地
９  下用パッキン
１０  下押さえ
【図１】
2020186597.tif 000003
【図２】
2020186597.tif 000004
【図３】
2020186597.tif 000005
【図４】
2020186597.tif 000006
(57)【要約】      （修正有）【課題】手を通しやすくすると同時にめくれ上がるのを防ぐことで袖口の汚れや水濡れしにくい袖口カバーを提供する。【解決手段】袖口カバー本体１の生地を二重にし、全長を１５ｃｍ、袖口をゴムの入れ替えが可能な二段絞りとし、肘側開口部４には２本のステッチを設けることで強度を高め、汚れや水濡れを防ぐ袖口カバー。【選択図】図１
2020186501.tif 000002
【特許請求の範囲】
【請求項１】
生地を二重にして全長１５ｃｍとする。
【請求項２】
袖口先端部を二段絞りにする。二段階にゴムを入れ、手首の太さにより調節できるようにする。またゴムの入替もできるようにする。
【請求項３】
肘側開口部には２本のステッチを掛けて、強度をつけるとともに、手を通しやすくすると同時にめくれ上がるのを防ぐ
【発明の詳細な説明】
【技術分野】
【０００１】本発明は、袖口の汚れを防ぎ水濡れしにくくするなど袖口を保護し、快適に家事などの作業を提供するために利用する袖口カバーである。
【背景技術】
【０００２】これまでは、腕カバーとして、袖口から腕の衣服の汚れを防ぐカバーが一般的であったため、丈が長かった。袖口に特化していないため、袖口から水が入り、袖口が濡れ、快適に作業ができなかった。また、作業用一辺倒で地味でファッション性に欠けていた。（特許文献１参照）本発明は、袖口に特化し、袖口が濡れずに快適に家事などの作業ができる袖口カバーである。また衣服に合わせるなどどこでも手軽に利用できるお洒落な、家事が楽しくなる袖口カバーであってほしいと願っている。
【先行技術文献】
【特許文献】
【０００３】
【特許文献１】特開平１０−１８１１３号公報
【発明の概要】
【発明が解決しようとする課題】
【０００４】これは次のような欠点があった。
イ）従来腕カバーでは、袖口先端部が一段絞りであったため手首に十分密着せず、また手首の太さにより、ゴムの調節ができないため、水が手首から入りやすかった。
ロ）生地が一重のため、袖口が十分保護されず、水濡れすることがあった。
ハ）全長が２０ｃｍと長いため、肘を曲げる際、肘の内側にカバーの端が触れ、使いづらかった。
本発明は、以上のような欠点をなくすためになされたものである。
【課題を解決するための手段】
【０００５】袖口先端部を二段絞りにする。（２）
そしてそれぞれの絞りのゴムは手首の太さにより調節できゴムの入替も可能とした。（３）
生地を二重にして、全長を１５ｃｍ（１）とする。
肘側開口部には２本のステッチを掛けて、強度をつけるとともに、手を通しやすくすると同時にめくれ上がるのを防ぐ（４）
本発明は、以上の構成によりなる、袖カバーである。
【発明の効果】
【０００６】イ）本発明の袖口カバーは、先述のように水仕事の際に、家事一般に使用でき着脱が容易で使いやすく、冬場では保温性も兼ねている。
ロ）最近は女性だけでなく、家事を手伝う男性も増え、手首の太さによるゴム調節が可能な袖カバーは、男女問わず受け入れられると思う。家事作業にこだわることなく、パジャマ、ワイシャツなどの袖口が気になる洗面時にも役立ちそうである。
ハ）家庭用だけでなく、例えば店舗（喫茶店、レストランなど）でエプロン、ハットなどと組み合わせるなど、人目につきやすい手元をお洒落に見せることができる。水にぬれない手元は衛生面における安全対策としても必要である。
【図面の簡単な説明】
【０００７】
【図１】本説明の斜視図である。
【図２】本説明の着用図である。
【発明を実施するための形態】
【０００８】以下、本発明を実施するための形態について説明する。
用布として木綿、化繊など３３ｃｍ×４０ｃｍを２枚、ゴム紐は１８〜２０ｃｍ×４本を使用する。
生地を二重にして使い、全長１５ｃｍとする。（１）袖口先端部をゴム紐２本使用し、二段絞りにすることで、手首に密着するので、水が入りにくく作業がしやすい。（２）また、それぞれの絞りのゴムは手首の太さにより調節でき、ゴムの入替も可能とした。（３）
更に、肘側開口部にはステッチを２本掛けて、強度をつけるとともに、手を通しやすくすると同時にめくれ上がるのを防ぐ。（４）
【符号の説明】
【０００９】１．    カバー本体（生地二重）
２．    ゴム紐
３．    ゴム入替口
４．    肘側開口部２本ステッチ
【図１】
2020186501.tif 000003
【図２】
2020186501.tif 000004